(57)【要約】【課題】  遊技機を継続して稼働しても、遊技場の不利益とならないようにする。【解決手段】  それぞれが複数種類の図柄を可変表示する複数の図柄表示部を有し、複数の図柄表示部が複数行複数列のマトリックス状に配列され、停止表示される図柄の並びにより遊技者に当り外れを識別させるための有効ラインが複数定められ、複数の有効ラインに当り図柄の組み合せを停止表示することで、特別遊技状態の成立を遊技者に報知する図柄表示装置を備える。複数の図柄表示部のうち、少なくとも１つがリール式可変表示装置で構成される。リール式可変表示装置が故障により位置検出できなくなった場合に、故障したリール式可変表示装置の表示状態が当り図柄であったとしても、故障したリール式可変表示装置を含む全ての有効ラインに、外れ図柄の組み合せを停止表示させる図柄表示制御手段を設ける。【選択図】          図７
2005137502.tif 000002
【特許請求の範囲】
【請求項１】
それぞれが複数種類の図柄を可変表示する複数の図柄表示部を有し、前記複数の図柄表示部が複数行複数列のマトリックス状に配列され、停止表示される図柄の並びにより遊技者に当り外れを識別させるための有効ラインが複数定められ、前記複数の有効ラインに当り図柄の組み合せを停止表示することで、特別遊技状態の成立を遊技者に報知する図柄表示装置を備えた遊技機において、前記複数の図柄表示部のうち、少なくとも１つがリール式可変表示装置で構成され、前記リール式可変表示装置が故障により位置検出できなくなった場合に、故障したリール式可変表示装置の表示状態が当り図柄であったとしても、前記故障したリール式可変表示装置を含む全ての有効ラインに、外れ図柄の組み合せを停止表示させる図柄表示制御手段を設けたことを特徴とする遊技機。
【請求項２】
前記リール式可変表示装置の故障を検知した場合、前記リール式可変表示装置の故障を報知する報知手段を備えたことを特徴とする請求項１に記載の遊技機。
【請求項３】
前記図柄表示制御手段は、前記当り図柄の組み合せを停止表示する場合、前記故障したリール式可変表示装置を含む全ての有効ラインを除いた有効ラインのうちのいずれか１つに前記当り図柄の組み合せを停止表示することを特徴とする請求項１又は２に記載の遊技機。
【発明の詳細な説明】
【技術分野】
【０００１】
本発明は、それぞれが複数種類の図柄を可変表示する複数の図柄表示部を有し、複数の図柄表示部が複数行複数列のマトリックス状に配列され、停止表示される図柄の並びにより遊技者に当り外れを識別させるための有効ラインが複数定められ、複数の有効ラインに当り図柄の組み合せを停止表示することで、特別遊技状態の成立を遊技者に報知する図柄表示装置を備えた遊技機に関するものである。
【背景技術】
【０００２】
複数個の窓部が並列形成された支持枠と、支持枠の窓部にそれぞれ内装され、かつ支持枠の骨状部にそれぞれ固定的に取り付けられた複数個の駆動モータの駆動力によって個別的に回転する合計９個の回転リールとからなる図柄表示装置を備え、図柄表示装置の合計９個の回転リールを個別的に停止することで形成される縦、横並びに対角線の各方向に合計８個の当りライン（有効ライン）を設定し、遊技者の興奮度と期待感をより高めるようにしたパチンコ遊技機が提案されている（例えば、特許文献１）。
【０００３】
また、上記合計９個の回転リールを備えた図柄表示装置において、各回転リールの回転位置検出手段と各回転リールを回転駆動するパルスモータに供給されるパルス数から各回転リールの各回転位置データを作成し、回転リールの回転中に決定した停止位置データに基いて各回転リールの停止制御を行う技術事項が記載されている（例えば、特許文献２）。
【０００４】
上述した回転リールを備えた図柄表示装置を備えた遊技機は、回転リールの回転位置を検出するためのセンサ（回転位置検出器、例えば、回転における原点位置を検出するフォトセンサ）が故障した場合、回転リールの回転位置データを作成することができなくなり、故障した回転リールについては、予め決定した図柄で停止させることができないことになる。従って、故障した回転リールを停止させた時に、停止表示位置（窓部）に停止表示される図柄が不定となる。
【０００５】
従来、回転リールが故障した場合には、図柄判定ラインにおいて、本来は外れ図柄の組み合せで停止させようとしたものが当り図柄の組み合せで停止表示してしまったり、逆に、当り図柄の組み合せで停止させなければならない場合に、外れ図柄の組み合せで停止表示してしまうことが起こるため、遊技客とのトラブル（例えば、遊技制御を行う制御部では外れと認識されているため、特別遊技状態には移行しないのに、遊技者には当り図柄で停止される結果、トラブルとなる）を避けるため、遊技機の稼働を停止せざるを得なかった。
【０００６】
【特許文献１】実開平６−８１５８３号公報
【特許文献２】特許掲載公報第２９２００２７号公報
【発明の開示】
【発明が解決しようとする課題】
【０００７】
本発明の目的は、回転リールが故障した場合、故障した回転リールが関与する有効ラインにおいて、本来決定されていない当り図柄の組み合せを成立させないようにし、遊技機を継続して稼働しても、遊技場の不利益とならないようにすることのできる遊技機を提供することにある。
【課題を解決するための手段】
【０００８】
請求項１に記載の遊技機は、それぞれが複数種類の図柄を可変表示する複数の図柄表示部を有し、前記複数の図柄表示部が複数行複数列のマトリックス状に配列され、停止表示される図柄の並びにより遊技者に当り外れを識別させるための有効ラインが複数定められ、前記複数の有効ラインに当り図柄の組み合せを停止表示することで、特別遊技状態の成立を遊技者に報知する図柄表示装置を備えたものであって、上記課題を解決するために、前記複数の図柄表示部のうち、少なくとも１つがリール式可変表示装置で構成され、前記リール式可変表示装置が故障により位置検出できなくなった場合に、故障したリール式可変表示装置の表示状態が当り図柄であったとしても、前記故障したリール式可変表示装置を含む全ての有効ラインに、外れ図柄の組み合せを停止表示させる図柄表示制御手段を設けたことを特徴とする遊技機。
【０００９】
請求項２に記載の遊技機は、請求項１に記載のものにおいて、前記リール式可変表示装置の故障を検知した場合、前記リール式可変表示装置の故障を報知する報知手段を備えたことを特徴とするものである。
【００１０】
請求項３に記載の遊技機は、請求項１又は２に記載のものにおいて、前記図柄表示制御手段は、前記当り図柄の組み合せを停止表示する場合、前記故障したリール式可変表示装置を含む全ての有効ラインを除いた有効ラインのうちのいずれか１つに前記当り図柄の組み合せを停止表示することを特徴とするものである。
【発明の効果】
【００１１】
請求項１に記載の構成によれば、リール式可変表示装置が故障により位置検出できなくなった場合に、故障したリール式可変表示装置の表示状態が当り図柄であったとしても、故障したリール式可変表示装置を含む全ての有効ラインに、外れ図柄の組み合せを停止表示させる図柄表示制御手段を設けたので、回転リールが故障した場合、故障した回転リールが関与する有効ラインにおいて、本来決定されていない当り図柄の組み合せを成立させないようにでき、これにより、遊技機を継続して稼働しても、遊技場の不利益とならないようにすることができる。
【００１２】
請求項２に記載の構成によれば、リール式可変表示装置の故障を検知した場合、リール式可変表示装置の故障を報知する報知手段を備えているので、回転リールが故障していることを店員が容易に認識することができる。
【００１３】
請求項３に記載の構成によれば、図柄表示制御手段は、当り図柄の組み合せを停止表示する場合、故障したリール式可変表示装置を含む全ての有効ラインを除いた有効ラインのうちのいずれか１つに当り図柄の組み合せを停止表示するので、本来通り決定された当り図柄の組み合せを、故障を含んだ有効ラインを避けて別の有効ラインにおいて成立させることが可能であり、この結果、遊技者の遊技を中断させることがなく、遊技機を継続して稼働させることができ、遊技者の利益を阻害しないようにすることができる。
【発明を実施するための最良の形態】
【００１４】
以下、本発明の実施の形態を図面を参照して説明する。図１は、本発明の実施形態に係る遊技機に配備される図柄表示装置の正面図である。図柄表示装置１は、３行３列の正方マトリックス状に配列された図柄表示部２〜１０で形成され、６個の回転リール式の可変表示装置と１個の液晶表示装置とを組み合せて構成されている。すなわち、回転リール式の可変表示装置で構成される図柄表示部は、左上図柄表示部２、左中図柄表示部３、左下図柄表示部４、右上図柄表示部５、右中図柄表示部６及び右下図柄表示部７である。また、液晶表示装置１１の表示画面を上中下に３分割して中上図柄表示部８、中央図柄表示部９及び中下図柄表示部１０を構成している。図柄表示部２乃至１０は、それぞれが複数種類の図柄（この実施形態では、５、６、７、８）を可変表示する。なお、リール式可変表示装置は、図柄を配置したテープを外周に巻いたリールや、円筒状の樹脂製ドラムの表面に図柄を熱転写したドラムをモータで回転駆動することにより、リール、ドラムに配置した図柄が周回移動するように構成された可変表示装置、あるいは、図柄を配置した無端ベルトをリール間で橋渡ししてリールをモータで回転駆動することにより、無端ベルトに配置した図柄が周回移動するように構成された可変表示装置を指す。
【００１５】
図２に示すように、図柄表示装置１には、９つの図柄表示部２乃至１０に停止表示される図柄の並び、横、縦並びに対角線により形成される遊技者に当り外れを識別させるための計８本の有効ラインが設定されている。具体的には、記号ａで示される上横ライン、記号ｂで示される中横ライン、記号ｃで示される下横ライン、記号ｄで示される左縦ライン、記号ｅで示される中縦ライン、記号ｆで示される右縦ライン、記号ｇで示される左上り斜めライン、記号ｈで示される右上り斜めラインの８本である。この実施形態では、当り図柄の組み合せは「７、７、７」のみとしてあり、当り図柄の組み合せ「７、７、７」を複数の有効ラインａ〜ｈのうちの１つに停止表示することで、特別遊技状態の成立を遊技者に報知する。
【００１６】
なお、従来と同様に、回転リール式の可変表示装置は、回転リールの軸線に駆動軸を連結したパルスモータで回転される。また、従来と同様に、回転リールの回転位置を回転位置検出センサ（例えば、回転における原点位置を検出するフォトセンサ）で検出するようになっている。回転リールが回転すると回転リールの周面に記された４つの図柄、即ち、数字の「５」、「６」、「７」、「８」が順に表示窓を通過する。従来と同様に、回転リールの回転位置検出センサと各回転リールを回転駆動するパルスモータに供給されるパルス数から各回転リールの各回転位置データを作成し、回転リールの回転中に決定した停止位置データに基いて各回転リールの停止制御を行う。
【００１７】
図３は、本発明の遊技機の一実施形態としてのパチンコ遊技機における図柄表示制御に関わる制御系統を表す要部ブロック図である。本実施形態のパチンコ遊技機には、パチンコ遊技の総括的な制御を行うメイン制御装置１２と、メイン制御装置１２から送信されたコマンドに基いて、ランプ（装飾ランプ、装飾ＬＥＤ、表示ランプ、表示ＬＥＤ等）の点灯、点滅等の表示制御及びスピーカから音を出す音声制御を実行するサブ制御装置１３と、メイン制御装置１２からサブ制御装置１３を経由して送信されたコマンドを受けて液晶表示装置１１に中上図柄、中央図柄及び中下図柄の可変表示や大当り遊技（特別遊技）に関する各種情報表示を行うと共に、左上図柄表示部２乃至右下図柄表示部７の各回転リールの回転／回転停止駆動制御を行う表示制御装置１４とが配備される。なお、図３には本発明の要旨に関係しないため図示を省略しているが、この他にメイン制御装置１２から送信された賞球コマンドに基いて払出モータを駆動することで賞球の払出制御を行う賞球制御装置と、タッチセンサの検出信号を条件として、図示しない遊技盤面に向けて遊技球を発射するための打球発射装置（図示せず）の発射モータの動作制御を行う発射制御装置とが配備される。
【００１８】
メイン制御装置１２（主制御部）は図示しないメイン制御基板に配備される。メイン制御装置１２は、パチンコ遊技に関わる総括的な制御を行うための処理実行手段としてのメインＣＰＵと、メインＣＰＵが実行するためのパチンコ遊技全体に関わる遊技制御プログラムや遊技制御プログラムの実行に必要となる予め定めた設定データが格納されているＲＯＭと、随時読み出しおよび書き込みが可能なＲＡＭと、各種入賞検出手段から送られた検出信号を受け付けてメインＣＰＵに入力可能とする一方、メインＣＰＵから外部装置に対して制御出力を可能とするための入出力インタフェースと、メインＣＰＵが周辺機器との間でデータ通信を行うための通信インタフェース等を含んで構成されている。なお、メイン制御装置１２の具体的な構成については図示を省略する。
【００１９】
前記各種入賞検出手段としては、例えば、図示しない遊技盤面に設けられた始動口（図柄始動口）へ入賞した遊技球を検出する始動口入賞検出スイッチ（始動口センサともいう）、前記遊技盤面に設定されたゲート（図示せず）への遊技球の通過を検出するゲートセンサ、遊技盤面に設けられた電動役物装置（図示せず）に配備された大入賞口に入賞した遊技球を検出する大入賞口センサ（図示せず）、前記大入賞口内に設けられた特定領域へ入賞した遊技球を検出する特定領域センサ、その他の普通入賞口に入賞した遊技球を検出する入賞検出スイッチ等がある。また、前記外部装置としては、前記大入賞口を開放させるための大入賞口ソレノイド等がある。
【００２０】
メイン制御装置１２とサブ制御装置１３とは、メイン制御装置１２からサブ制御装置１３への一方向通信のみ可能に接続されている。サブ制御装置１３は、ランプの点灯／点滅等の制御、音声制御、メイン制御装置１２から送信されるコマンド受信及び表示制御装置１４に対するコマンド送信を行うための処理実行手段としてのサブＣＰＵと、サブＣＰＵが実行するためのランプ点灯／点滅に関わる制御プログラム、音声発生に関わる制御プログラム、コマンド受信に関わる制御プログラム及びコマンド送信に関わる制御プログラム、これらの各種制御プログラムの実行に必要となる予め定めた設定データ（ランプの点灯パターン等や音データ）が格納されているＲＯＭと、随時読み出しおよび書き込みが可能なＲＡＭと、サブＣＰＵからの制御出力を可能とするための出力インタフェースと、サブＣＰＵがメイン制御装置１２及び表示制御装置１４との間でデータ通信を行うための通信インタフェース等を含んで構成されている。なお、サブ制御装置１３の具体的な構成については図示を省略する。
【００２１】
サブ制御装置１３にはランプ（図示せず）やスピーカ（図示せず）が接続されている。サブ制御装置１３はメイン制御装置１２から送信されるコマンド指令に従ってランプを点灯駆動すると共にスピーカより効果音や警報を発生する。また、サブ制御装置１３は、メイン制御装置１２から送信されたコマンドを受信すると、このコマンドを記憶すると共に表示制御装置１４に送信する。
【００２２】
表示制御装置１４は、サブ制御装置１３から送信されたコマンドに応じて液晶表示装置１１の表示画面に、特別図柄の一部（この実施形態では、中上図柄、中央図柄、中下図柄の３種類）を各々表示制御すると共に、モータドライバ１５を通じて残りの特別図柄（この実施形態では、左上図柄表示部２乃至右下図柄表示部７）の各回転リールの回転／回転停止駆動制御を行う。また、表示制御装置１４には、各回転リールに配備された回転位置検出センサ２ａ〜７ａから出力される原点位置信号が入力されるようになっている。表示制御装置１４は、回転位置検出センサからの原点位置信号と各回転リールを回転駆動するパルスモータに供給されるパルス数から各回転リールの各回転位置データを作成し、回転リールの回転中に決定した停止位置データに基いて各回転リールの停止制御を行う。
【００２３】
次に、本発明の特徴部分である回転リール式の可変表示装置が故障した場合における、各図柄の停止表示について説明する。まず、本発明において「回転リール式の可変表示装置が故障した場合」とは、例えば、回転リールの回転位置を検出するための回転位置検出センサが故障した場合を意味するものである。また、この実施形態では、回転リール式の可変表示装置で構成される図柄表示部は、左上図柄表示部２、左中図柄表示部３、左下図柄表示部４、右上図柄表示部５、右中図柄表示部６及び右下図柄表示部７の計６つとしているが、必ずしも６つの全てが回転リール式の可変表示装置で構成されている必要はなく、これらの図柄表示部のうち少なくとも１つが回転リール式の可変表示装置で構成されていればよい。このため、故障となる回転リール式の可変表示装置は、これらのうちの１つのみの場合を想定しているのであって、２つ以上が故障する場合は停止表示制御が不可能となるので除く。
【００２４】
一例として、例えば、左上図柄表示部２を構成する回転リール式の可変表示装置が故障した場合について説明する。回転リールの回転位置を検出するための回転位置検出センサが故障した場合、回転リールの回転位置データを作成することができなくなり、故障した左上の回転リールについては、予め決定した図柄で停止させることができないことになる。従って、故障した左上の回転リールを停止させた時に、停止表示位置（窓部）に停止表示される左上図柄が不定となる。すなわち、左上図柄として「５」、「６」、「７」、「８」の何れが停止表示されるかは確定することができない。従って、故障した回転リール式可変表示装置で停止表示される左上図柄（不定図柄）を含んだ全ての有効ライン上に、外れ図柄の組み合せを停止表示させる図柄表示制御を行う。
【００２５】
図４は、例えば、左上図柄表示部２を構成する回転リール式の可変表示装置が故障した場合に、左上図柄（不定図柄）を含んだ全ての有効ライン上に停止表示する外れ図柄の組み合せを示す図である。なお、図４において、故障した図柄を「×」印で示している。また、図４において、外れ図柄を「外」で表している。この実施形態では、数字「７」のみ当りとして扱うものとしているため、「外」（はずれ）は数字「５」、「６」、「８」の何れかであればよい。左上図柄が故障した場合、左上図柄を含んだ有効ラインは、上横ライン（図２の記号ａ）、左縦ライン（図２の記号ｄ）、左上り斜めライン（図２の記号ｇ）の３本となる。これら３本の有効ラインには、外れ図柄の組み合せを停止表示させる。これにより、仮に、左上図柄に「７」が停止表示されたとしても、左上図柄を含んだ有効ラインは全て外れ図柄の組み合せが停止表示されるから、本来ならば外れ図柄の組み合せで停止されるはずのものが当り図柄の組み合せで停止表示しまうことを防止することができる。
【００２６】
なお、図柄表示部２乃至１０における図柄の可変表示及び図柄の停止表示制御は、表示制御装置１４が行うのであるが、表示制御装置１４は、遊技制御を行うメイン制御装置１２から送信されたコマンド（当り外れの別や図柄の確定停止等）に従って各図柄表示部に停止表示する各図柄を決定し、図柄の停止表示を行う。従って、メイン制御装置１２から当り図柄を指令された場合、当り図柄の組み合せ「７、７、７」を８本の有効ラインのうちのいずれかに停止表示する。また、メイン制御装置１２から外れ図柄を指令された場合、８本の有効ラインの全てにおいて、「７、７、７」以外の外れ図柄の組み合せ「外、○、○」を停止表示する。
【００２７】
図５は、左上図柄表示部２を構成する回転リール式の可変表示装置が故障した場合において、メイン制御装置１２から外れ図柄を指令されたことに応じて、左上図柄を含んだ有効ラインに外れ図柄の組み合せを停止表示し、左上図柄を含んだ有効ラインを除く残りの有効ラインにおいても外れ図柄の組み合せを停止表示する図柄表示態様を示す図である。左上図柄が故障した場合、図５に示すように、右上図柄、中央図柄及び左下図柄に「外」を停止表示するようにすると、８本の有効ラインの全てにおいて、「７、７、７」以外の外れ図柄の組み合せ「外、○、○」を停止表示させることになる。なお、「○」は、「５」、「６」、「７」、「８」の何れが停止表示されてもよいことを示している。
【００２８】
図６は、左上図柄表示部２を構成する回転リール式の可変表示装置が故障した場合において、メイン制御装置１２から当り図柄を指令されたことに応じて、左上図柄を含んだ有効ラインに外れ図柄の組み合せを停止表示し、左上図柄を含んだ有効ラインを除く残りの有効ラインのうちの１つにおいて、当り図柄の組み合せを停止表示する図柄表示態様を示す図である。当り図柄の組み合せを停止表示する場合、左上図柄を含んだ有効ラインを除く残りの有効ラインは、中横ライン、下横ライン、中縦ライン、右縦ライン、右上り斜めラインの５本である。これらの有効ラインのうちのいずれか１つに当り図柄の組み合せ「７、７、７」を停止表示させるように図柄停止制御を行う。なお、図６では、中上図柄、中央図柄及び左下図柄に「外」を停止表示することによって、左上図柄（故障）を含んだ上横ライン、左縦ライン、左上り斜めラインの３つの有効ラインに外れ図柄の組み合せを停止表示させるようにし、これは同時に、中横ライン、下横ライン、中縦ライン、右上り斜めラインの４つの有効ラインにおいても外れ図柄の組み合せを停止表示させることになる。そして、残る右縦ラインにおいて当り図柄の組み合せ「７、７、７」を停止表示させる例を示している。
【００２９】
以上は、左上図柄表示部２を構成する回転リール式の可変表示装置が故障した場合を例として説明したが、故障が発生する場所は、６ヶ所ある。図７は、故障の場所（図柄の位置）に対応して、図柄表示装置全体として外れ図柄の組み合せを表示するパターンを示す図である。図７に示すように、故障の場所が左上図柄、左中図柄、右中図柄及び右下図柄の場合には、左下図柄、中央図柄及び右上図柄に「外」を停止表示するようにすると、８本の有効ラインの全てにおいて、「７、７、７」以外の外れ図柄の組み合せ「外、○、○」を停止表示させることになる。また、故障の場所が左下図柄及び右上図柄の場合には、左上図柄、中央図柄及び右下図柄に「外」を停止表示するようにすると、８本の有効ラインの全てにおいて、「７、７、７」以外の外れ図柄の組み合せ「外、○、○」を停止表示させることになる。このように、図柄表示装置全体として外れ図柄の組み合せを表示する場合、故障が発生した場所の違いにより、「外」を停止表示する図柄表示部の場所が２パターンに分けられる。
【００３０】
図８は、左上図柄において故障が発生した場合において、左上図柄を含まない有効ラインのうちの１つにおいて、当り図柄の組み合せ「７、７、７」を停止表示する図柄表示態様を示す図である。図８に示すように、左上図柄において故障が発生した場合において、左上図柄を含まない有効ラインは、中縦ライン、右縦ライン、中横ライン、下横ライン、右上り斜めラインの５本である。従って、左上図柄において故障が発生した場合、左上図柄を含まない有効ラインのうちの１つにおいて、当り図柄の組み合せ「７、７、７」を停止表示する有効ラインの選び方に５つのパターンがある｛図８（ａ）〜図８（ｅ）参照｝。なお、この有効ラインのうちのどの有効ライン上に当り図柄の組み合せ「７、７、７」を停止表示させるかは、表示制御装置１４が適宜選択的に決定する（例えば、乱数抽選し、抽選した値により振り分けるようにする）。なお、図８において、「外」（はずれ）は数字「５」、「６」、「８」の何れかであればよい。また、「○」は、「５」、「６」、「７」、「８」の何れが停止表示されてもよいことを示している。
【００３１】
図９は、左中図柄において故障が発生した場合において、左中図柄を含まない有効ラインのうちの１つにおいて、当り図柄の組み合せ「７、７、７」を停止表示する図柄表示態様を示す図である。図９に示すように、左中図柄において故障が発生した場合において、左中図柄を含まない有効ラインは、上横ライン、下横ライン、中縦ライン、右縦ライン、左上り斜めライン、右上り斜めラインの６本である。従って、左中図柄において故障が発生した場合、左中図柄を含まない有効ラインのうちの１つにおいて、当り図柄の組み合せ「７、７、７」を停止表示する有効ラインの選び方に６つのパターンがある｛図９（ａ）〜図９（ｆ）参照｝。なお、この有効ラインのうちのどの有効ライン上に当り図柄の組み合せ「７、７、７」を停止表示させるかは、表示制御装置１４が適宜選択的に決定する（例えば、乱数抽選し、抽選した値により振り分けるようにする）。
【００３２】
図１０は、左下図柄において故障が発生した場合において、左下図柄を含まない有効ラインのうちの１つにおいて、当り図柄の組み合せ「７、７、７」を停止表示する図柄表示態様を示す図である。図１０に示すように、左下図柄において故障が発生した場合において、左下図柄を含まない有効ラインは、中縦ライン、右縦ライン、上横ライン、中横ライン、左上り斜めラインの５本である。従って、左下図柄において故障が発生した場合、左下図柄を含まない有効ラインのうちの１つにおいて、当り図柄の組み合せ「７、７、７」を停止表示する有効ラインの選び方に５つのパターンがある｛図１０（ａ）〜図１０（ｅ）｝。
【００３３】
図１１は、右上図柄において故障が発生した場合において、右上図柄を含まない有効ラインのうちの１つにおいて、当り図柄の組み合せ「７、７、７」を停止表示する図柄表示態様を示す図である。図１１に示すように、右上図柄において故障が発生した場合において、右上図柄を含まない有効ラインは、左縦ライン、中縦ライン、中横ライン、下横ライン、左上り斜めラインの５本である。従って、右上図柄において故障が発生した場合、右上図柄を含まない有効ラインのうちの１つにおいて、当り図柄の組み合せ「７、７、７」を停止表示する有効ラインの選び方に５つのパターンがある｛図１１（ａ）〜図１１（ｅ）｝。
【００３４】
図１２は、右中図柄において故障が発生した場合において、右中図柄を含まない有効ラインのうちの１つにおいて、当り図柄の組み合せ「７、７、７」を停止表示する図柄表示態様を示す図である。図１２に示すように、右中図柄において故障が発生した場合において、右中図柄を含まない有効ラインは、左縦ライン、中縦ライン、上横ライン、下横ライン、左上り斜めライン、右上り斜めラインの６本である。従って、右中図柄において故障が発生した場合、右中図柄を含まない有効ラインのうちの１つにおいて、当り図柄の組み合せ「７、７、７」を停止表示する有効ラインの選び方に６つのパターンがある｛図１２（ａ）〜図１２（ｆ）｝。
【００３５】
図１３は、右下図柄において故障が発生した場合において、右下図柄を含まない有効ラインのうちの１つにおいて、当り図柄の組み合せ「７、７、７」を停止表示する図柄表示態様を示す図である。図１３に示すように、右下図柄において故障が発生した場合において、右下図柄を含まない有効ラインは、左縦ライン、中縦ライン、上横ライン、中横ライン、右上り斜めラインの５本である。従って、右下図柄において故障が発生した場合、右下図柄を含まない有効ラインのうちの１つにおいて、当り図柄の組み合せ「７、７、７」を停止表示する有効ラインの選び方に５つのパターンがある｛図１３（ａ）〜図１３（ｅ）｝。
【００３６】
次に、図柄表示装置１における各図柄表示部２〜１０の図柄変動について説明する。表示制御装置１４は、メイン制御装置１２から送られた変動パターンコマンドを受けると、図柄表示部２〜１０を一斉に可変表示させる。すなわち、モータドライバ１５を通じて左上図柄２、左中図柄３、左下図柄４、右上図柄５、右中図柄６及び右下図柄７の各回転リールのパルスモータを駆動し、各回転リールを一斉に回転する。また、液晶表示装置１１の中上図柄８、中央図柄９及び中下図柄１０をスクロール変動する。各図柄表示部２〜１０において数字が５→６→７→８→５の順で変動する各回転リールの回転中、切欠（又は突起）が回転位置検出センサを通過する度に原点位置信号が出力され、表示制御装置１４に入力される。また、変動パターンコマンドを受けると、次いでメイン制御装置１２から停止図柄コマンドが送信されてくる。この場合、停止図柄コマンドは、当り図柄（（８つある有効ラインのうちの１つに７７７を並び揃う図柄の組み合せ）が並び揃う図柄の組み合せ）か外れ図柄（８つある有効ラインの全てにおいて７７７以外の図柄が揃う組み合せ）かの２通りあり、９つの図柄表示部の各々にどの図柄を停止表示させるかは、表示制御装置１４が当り図柄と外れ図柄の別に応じて任意に決定する。
【００３７】
例えば、停止図柄コマンドの内容が当り図柄の場合では、８つある有効ラインのうちのどの有効ラインを当り図柄「７、７、７」で停止させるかは、例えば、乱数カウンタの値を抽選し、抽選した値に対応する有効ラインに決定し、この有効ライン上の停止図柄を「７、７、７」とする。例えば、決定した有効ラインが上横ラインである場合、左上図柄２の停止図柄が「７」、中上図柄８の停止図柄が「７」、右上図柄５の停止図柄が「７」に決定される。また、決定した有効ラインを除いた残りの図柄表示部の停止図柄は、予め定められた表示図柄パターンから選択して決定する。例えば、上横ラインで当り図柄「７、７、７」を停止表示する場合であれば、例えば、図９（ａ）、図１０（ｃ）、図１２（ｃ）、図１３（ｃ）に示される表示パターンのうちの１つに決定する。この場合も、例えば、乱数カウンタの値を抽選し、抽選した値に対応する表示図柄パターンに決定する。そして、例えば、決定した表示図柄パターンが図１０（ｃ）に示す表示図柄パターンであった場合、左中図柄３の停止図柄が外れ図柄、即ち、「５」、「６」、「８」のうちのいずれか１つ、中央図柄９が外れ図柄、右中図柄６が任意、即ち、「５」、「６」、「７」、「８」のうちのいずれか１つ、左下図柄が任意、中下図柄１０が任意、右下図柄７が外れ図柄に決定される。各図柄表示部において停止図柄をどの図柄とするかは、例えば、図柄決定用乱数カウンタ（０〜３）の値を抽選し、抽選した値に対応する図柄（「０」の場合図柄「５」、「１」の場合図柄「６」、「２」の場合図柄「７」、「３」の場合図柄「８」）に決定する。但し、外れ図柄の場合、抽選した値が「２」の場合は、＋１して「３」とし、図柄「８」に決定するものとする。
【００３８】
また、停止図柄コマンドの内容が外れ図柄の場合は、図柄表示装置１の表示部全体として外れ図柄の組み合せとなる表示図柄パターンが多数あるため図示しないが、予め定められた外れ表示図柄パターンから選択して決定するものとする。以上のようにして、左上図柄２〜中下図柄１０の９つの全図柄の停止図柄が決定される。
【００３９】
メイン制御装置１２において、図柄変動停止のタイミングとなると、メイン制御装置１２は図柄停止コマンドを送信する。表示制御装置１４は、図柄停止コマンドを受けると、決定した停止図柄で各図柄２〜１０を停止させる。
【００４０】
回転リールの故障検知に関する処理ついて説明する。図１４は、表示制御装置１４に配備された表示ＣＰＵが実行する回転リールの故障検知処理のサブルーチンを示すフローチャートである。なお、回転リールの故障検知処理は、表示制御装置１４が変動パターンコマンドを受信すると開始される処理である。また、回転リールの故障検知処理は、回転リールで構成される左上図柄２、左中図柄３、左下図柄４、右上図柄５、右中図柄６及び右下図柄７についてそれぞれ行われる。なお、図１４では、１つの回転リールについての処理を示している。
【００４１】
表示ＣＰＵは、回転リールモータ（パルスモータ）に与えるパルスの数をカウントするパルスカウンタを０クリアする（ステップＡ０１）。また、当該回転リールの回転位置検出センサによる原点位置信号を検出した場合にセットされるセンサ検出フラグを０クリア（未検出を表す）する（ステップＡ０２）。さらに、当該回転リールの回転位置検出センサの動作異常が検知された場合にセットされる異常検知フラグを０クリア（異常なしを表す）する（ステップＡ０３）。
【００４２】
表示ＣＰＵは、ステップＡ０３を行うと、モータドライバ１５を通じて１パルスを与えて回転リールモータを駆動する（ステップＡ０４）。これにより、回転リールモータが１パルス回転する分だけ回転リールが回転する。次に、表示ＣＰＵは、パルスカウンタの値を＋１し（ステップＡ０５）、回転位置検出センサによる原点位置信号が入力されたか否かを判別する（ステップＡ０６）。
【００４３】
表示ＣＰＵは、原点位置信号が入力されていなければ、ステップＡ０７に進み、パルスカウンタの値により、１周分のパルスを与えたか否かを判別する（ステップＡ０７）。１周分のパルスを与えていなければステップＡ０４に戻り、原点位置信号の入力ありが検出されるまで、ステップＡ０４、ステップＡ０５、ステップＡ０６を偽、ステップＡ０７を偽と判別することにより形成される処理ループを繰り返す。
【００４４】
当該回転リールの回転位置を検出するための回転位置検出センサの動作が正常である場合、動作開始から回転リールモータに１周分のパルスを与えるまでの間に、回転位置検出センサが必ず回転リールの位置検出用の切欠き（又は突起）を検出して原点位置信号を出力する。表示ＣＰＵは、ステップＡ０６において原点位置信号が入力されていれば、センサ検出フラグに「１（検出あり）」をセットし（ステップＡ０９）、回転位置データを初期値（原点位置）にセットし（ステップＡ１０）、回転リールの故障検知処理を終了する。
【００４５】
一方、動作開始から回転リールモータに１周分のパルスを与えても、この間に１度も原点位置信号の入力がなければ、当該回転リールの回転位置検出センサが故障していることになる。表示ＣＰＵは、ステップＡ０７にて、１周分のパルスを与えたと判別した場合は、回転位置検出センサの動作異常であると判断する。表示ＣＰＵは、ステップＡ０８に進み、当該回転リール（換言すれば当該図柄）に関する異常検知フラグに「１（異常検知）」をセットし（ステップＡ０８）、回転リールの故障検知処理を終了する。
【００４６】
次に、正常時の回転リールの回転停止処理について説明する。図１５は、正常時の回転リールの回転停止処理のサブルーチンを示すフローチャートである。表示ＣＰＵは、回転リールの回転停止処理を開始すると、まず、センサ検出フラグに「１（検出あり）」がセットされているか否かを判別する（ステップＡ２０）。センサ検出フラグに「１（検出あり）」がセットされている場合には、回転リールの故障検知処理において原点位置信号が検出されたことになり、回転位置検出センサが正常動作していることになる。センサ検出フラグに「１（検出あり）」がセットされている場合、表示ＣＰＵは、ステップＡ２１に進み、回転リールモータを１ステップ駆動し（ステップＡ２１）、回転位置データを１ステップ分更新し（ステップＡ２２）、図柄停止コマンドを受信することによるリール停止か否か判別する（ステップＡ２３）。表示ＣＰＵは、リール停止でなければ、今回の回転リールの回転停止処理を抜ける。
【００４７】
次周期以降の処理では、図柄停止コマンドを受信することによるリール停止となるまで、ステップＡ２０を真、ステップＡ２１〜ステップＡ２２、ステップＡ２３を偽と判別する処理を繰り返し、回転リールを１ステップずつ回転する。一方、図柄停止コマンドを受信することによるリール停止である場合、表示ＣＰＵは、回転位置が停止位置であるか否か、即ち、回転位置データが予め定めた停止図柄に対応する停止位置となっているか否かを判別する（ステップＡ２４）。表示ＣＰＵは、回転位置が停止位置でない場合には、ステップＡ２４を偽と判別し、今回の回転リールの回転停止処理を抜ける。次周期以降の処理では、回転位置が停止位置となるまで、ステップＡ２０を真、ステップＡ２１〜ステップＡ２２、ステップＡ２３を真、ステップＡ２４を偽と判別する処理を繰り返す。そして、回転位置が停止位置となると、表示ＣＰＵは、回転リールモータを停止し（ステップＡ２５）、センサ検出フラグを０クリアし（ステップＡ２６）、回転リールの回転停止処理を終了する。なお、回転リールモータが停止することで、図柄が決定した停止図柄で停止表示される。なお、液晶表示装置１１の中上図柄、中央図柄、中下図柄の各変動スクロール表示も所定の停止タイミングで決定した停止図柄で停止される。
【００４８】
一方、センサ検出フラグに「１（検出あり）」がセットされていない場合には、回転リールの故障検知処理において原点位置信号が検出されていないことになり、回転位置検出センサの正常動作が確認されていないことになる。この場合には、表示ＣＰＵは、ステップＡ２０を偽と判別して今回の回転リールの回転停止処理を抜ける。従って、実質的な回転リールの回転停止処理が行われないことになる。
【００４９】
次に、異常検出時の回転リールの回転停止処理（以下、異常時の回転処理という）について説明する。図１６は、表示ＣＰＵが実行する異常検出時の回転リールの回転停止処理のフローチャートである。表示ＣＰＵは、異常時の回転処理を開始すると、まず、異常検知フラグに「１（異常検知）」がセットされているか否かを判別する（ステップＡ３０）。異常検知フラグに「１（異常検知）」がセットされている場合には、回転リールの故障検知処理において原点位置信号が検出されず、回転位置検出センサの動作異常が検知されたことになる。異常検知フラグに「１（異常検知）」がセットされている場合、表示ＣＰＵは、ステップＡ３１に進み、停止図柄変更フラグが「０（未変更）」であるか否かを判別する（ステップＡ３１）。なお、停止図柄変更フラグは、回転位置検出センサの動作異常が検知されたことに応じて停止図柄の変更を行ったか否かを識別するためのフラグであり、初期値は「０」である。
【００５０】
停止図柄の変更を行っていない場合、表示ＣＰＵはステップＡ３１を真と判別し、ステップＡ３２に進み、停止図柄コマンドで指定された停止図柄の組み合せが当り図柄であるか否かを判別する（ステップＡ３２）。
【００５１】
停止図柄コマンドで指定された停止図柄の組み合せが当り図柄でない場合、当該図柄の場所に基いて外れ図柄パターンを決定する（ステップＡ３３）（図７参照）。従って、当該回転リールにおいて回転位置検出センサの動作異常が検知された場合、停止図柄コマンドに基いて決定した停止図柄とは異なる外れ図柄の組み合せに書き換えられる。一例をあげると、当該回転リールの図柄が左上図柄である場合、ステップＡ３３の処理によって、図７の左上に示される外れ図柄の組み合せパターンで、停止図柄が再決定される。即ち、左下図柄４、中央図柄９及び右上図柄５の停止図柄が外れ図柄、即ち、「５」、「６」、「８」のうちのいずれか１つに決定される。なお、各図柄表示部において停止図柄をどの図柄とするかは、前述したように、例えば、図柄決定用乱数カウンタ（０〜３）の値を抽選し、抽選した値に対応する図柄（「０」の場合図柄「５」、「１」の場合図柄「６」、「２」の場合図柄「７」、「３」の場合図柄「８」）に決定する。但し、外れ図柄の場合、抽選した値が「２」の場合は、＋１して「３」とし、図柄「８」に決定するものとする。表示ＣＰＵは、ステップＡ３３を終えるとステップＡ３５に進む。
【００５２】
一方、ステップＡ３２において、停止図柄コマンドで指定された停止図柄の組み合せが当り図柄である場合、当該図柄の場所に基いて外れ図柄パターンを決定する（ステップＡ３４）（図８〜図１３参照）。従って、当該回転リールにおいて回転位置検出センサの動作異常が検知された場合、停止図柄コマンドに基いて決定した停止図柄とは異なる当り図柄の組み合せに書き換えられる。
【００５３】
一例をあげると、当該回転リールの図柄が左上図柄である場合、ステップＡ３３の処理によって、図８の（ａ）〜（ｅ）に示される５つの当り図柄の組み合せパターンのうちの１つで、停止図柄が再決定される。なお、どの当り図柄の組み合せパターンに決定するかは、例えば、乱数カウンタの値を抽選し、抽選した値に対応する当り図柄の組み合せパターンに決定する。そして、例えば、決定した当り図柄の組み合せパターンが図８（ｂ）に示す表示図柄パターンであった場合、右上図柄５の停止図柄が「７」、右中図柄６の停止図柄が「７」、右下図柄７の停止図柄が「７」に決定される。さらに、中上図柄８の停止図柄、中央図柄９及び左下図柄４の停止図柄が外れ図柄、即ち、「５」、「６」、「８」のうちのいずれか１つに決定される。表示ＣＰＵは、ステップＡ３４を終えるとステップＡ３５に進む。なお、当該回転リールにおける停止図柄は、回転リールの回転位置データが不定であるため決定しても意味をなさない。
【００５４】
ステップＡ３５に進むと、表示ＣＰＵは、停止図柄変更フラグに「１（変更済）」をセットし（ステップＡ３５）、ステップＡ３６に進む。ステップＡ３６に進むと、表示ＣＰＵは、回転リールモータを１ステップ駆動し（ステップＡ３６）、ステップＡ３７に進んで図柄停止コマンドを受信することによるリール停止か否か判別する（ステップＡ３７）。表示ＣＰＵは、リール停止でなければ、ステップＡ３７を偽と判別し、今回の異常時の回転処理を抜ける。
【００５５】
次周期以降の処理では、ステップＡ３０を真と判別し、停止図柄変更フラグに「１（変更済）」がセットされる結果、ステップＡ３１を偽と判別してステップＡ３６にジャンプする。従って、図柄停止コマンドを受信することによるリール停止となるまで、ステップＡ３０を真、ステップＡ３１を偽、ステップＡ３６、ステップＡ３７を偽と判別する処理を繰り返し、回転リールを１ステップずつ回転する。
【００５６】
そして、図柄停止コマンドを受信することによるリール停止となると、表示ＣＰＵは、ステップＡ３７を真と判別し、回転リールモータを停止し（ステップＡ３８）、センサ異常を例えば、表示器等にエラー表示をすることにより報知し（ステップＡ３９）、停止図柄変更フラグを０クリアし（ステップＡ４０）、異常時の回転処理を終了する。
【００５７】
ステップＡ３８の処理が行われることにより回転リールモータが停止することで、当該図柄が停止表示されるが、どの図柄で停止表示されているかは不定である。しかしながら、前述したように、当該図柄を含んだ有効ラインにおいては、当該図柄を含んだ有効ラインの他の図柄表示部が正常であるはずであるから、これらの図柄表示部では変更した外れ図柄の組み合せで停止表示されることになる。従って、回転リールが故障した場合、故障した回転リールが関与する有効ラインにおいて、本来決定されていない当り図柄の組み合せを成立させないようにしたので、遊技機を継続して稼働しても、遊技場の不利益とならないようにすることができる。
【００５８】
また、停止図柄コマンドで指定された停止図柄の組み合せが当り図柄である場合、当該図柄を含んだ全ての有効ラインを除いて変更決定した有効ラインにおいて当り図柄「７、７、７」が停止表示される。従って、本来通り決定された当り図柄の組み合せを、故障を含んだ有効ラインを避けて別の有効ラインにおいて成立させるようにしたので（代替演出）、遊技者の遊技を中断させることがなく、遊技機を継続して稼働させることができ、遊技者の利益を阻害しないようにすることができる。
【００５９】
なお、回転リールの故障（センサ異常）を報知する場合、上記のように代替演出しているため、当り図柄の遊技者に故障したことを悟らせないで、店員のみが認識できることが望ましい。例えば、液晶表示装置に演出を妨げない位置に小さく星印等のキャラクタを表示したり、枠またはパネルに配置された装飾ランプの点灯形態を、ホールの店員のみが故障と判断できる程度に変化させるようにしてもよい。また、役物装置異常としてホールコンピュータに向けて外部端子板から異常信号を出力してもよい。なお、液晶表示装置に「係員をお呼びください」のテロップを表示したり、音声で前記メッセージを流したり、あるいは枠またはパネルに配置した装飾ランプを全消灯して遊技者に異常を伝えるようにしてもよい。但し、このような報知形態は、完全に遊技が不能になった場合に行う。完全に遊技が不能になった場合は、本実施形態では、さらにもう１つの図柄表示部が故障となった場合が該当する。１つの図柄表示部が故障した場合に、その図柄表示部を不能にして残りの正常な図柄表示部を使っての演出が可能であるが、できるだけ遊技者に違和感を与えないようにするために、故障となった表示部を不能にせず、演出中は回転信号を与えるようにする。例えば、演出の開始（例えば、変動パターンコマンド等の受信）を契機に一定速の回転信号を与え、演出の終了（例えば、図柄確定コマンドの受信）を契機に回転信号を停止する、正常時とは異なる異常時用の制御データを使って回転させる。なお、この間、回転位置検出センサから再び原点位置信号が出力されるかをチェックする。もしも、原点位置信号が確認できた場合には、次回からの演出を正常時動作に戻し、変動パターンコマンドで指定される制御データを使って回転させる。つまり、１つの図柄表示部の故障においては、ホールの店員に分かる程度に異常を報知して遊技は継続する。
【００６０】
一方、異常検知フラグに「１（異常検知）」がセットされていない場合には、回転リールの故障検知処理において原点位置信号が正常に検出されたことになる。異常検知フラグに「１（異常検知）」がセットされていない場合、表示ＣＰＵは、ステップＡ３０を偽と判別し、異常時の回転処理を抜ける。従って、実質的な異常時の回転処理は行われないことになる。
【図面の簡単な説明】
【００６１】
【図１】本発明の実施形態に係る遊技機に配備される図柄表示装置の正面図
【図２】図柄表示装置に設定された当り外れを識別させるための有効ラインを示す図
【図３】本発明の遊技機の一実施形態としてのパチンコ遊技機における図柄表示制御に関わる制御系統を表す要部ブロック図
【図４】左上図柄表示部を構成する回転リール式の可変表示装置が故障した場合に、左上図柄（不定図柄）を含んだ全ての有効ライン上に停止表示する外れ図柄の組み合せを示す図
【図５】左上図柄表示部を構成する回転リール式の可変表示装置が故障した場合において、左上図柄を含んだ有効ラインに外れ図柄の組み合せを停止表示し、左上図柄を含んだ有効ラインを除く残りの有効ラインにおいても外れ図柄の組み合せを停止表示する図柄表示態様を示す図
【図６】左上図柄表示部を構成する回転リール式の可変表示装置が故障した場合において、左上図柄を含んだ有効ラインに外れ図柄の組み合せを停止表示し、左上図柄を含んだ有効ラインを除く残りの有効ラインのうちの１つにおいて、当り図柄の組み合せを停止表示する図柄表示態様を示す図
【図７】故障の場所（図柄の位置）に対応して、図柄表示装置全体として外れ図柄の組み合せを表示するパターンを示す図
【図８】左上図柄において故障が発生した場合において、左上図柄を含まない有効ラインのうちの１つにおいて、当り図柄の組み合せ「７、７、７」を停止表示する図柄表示態様を示す図
【図９】左中図柄において故障が発生した場合において、左中図柄を含まない有効ラインのうちの１つにおいて、当り図柄の組み合せ「７、７、７」を停止表示する図柄表示態様を示す図
【図１０】左下図柄において故障が発生した場合において、左下図柄を含まない有効ラインのうちの１つにおいて、当り図柄の組み合せ「７、７、７」を停止表示する図柄表示態様を示す図
【図１１】右上図柄において故障が発生した場合において、右上図柄を含まない有効ラインのうちの１つにおいて、当り図柄の組み合せ「７、７、７」を停止表示する図柄表示態様を示す図
【図１２】右中図柄において故障が発生した場合において、右中図柄を含まない有効ラインのうちの１つにおいて、当り図柄の組み合せ「７、７、７」を停止表示する図柄表示態様を示す図
【図１３】右下図柄において故障が発生した場合において、右下図柄を含まない有効ラインのうちの１つにおいて、当り図柄の組み合せ「７、７、７」を停止表示する図柄表示態様を示す図
【図１４】表示制御装置に配備された表示ＣＰＵが実行する回転リールの故障検知処理のサブルーチンを示すフローチャート
【図１５】同上の表示ＣＰＵが実行する正常時の回転リールの回転停止処理のサブルーチンを示すフローチャート
【図１６】同上の表示ＣＰＵが実行する異常検知時の回転リールの回転停止処理のサブルーチンを示すフローチャート
【符号の説明】
【００６２】
１  図柄表示装置
２  左上図柄表示部
２ａ  回転位置検出センサ
３  左中図柄表示部
３ａ  回転位置検出センサ
４  左下図柄表示部
４ａ  回転位置検出センサ
５  右上図柄表示部
５ａ  回転位置検出センサ
６  右中図柄表示部
６ａ  回転位置検出センサ
７  右下図柄表示部
７ａ  回転位置検出センサ
８  中上図柄表示部
９  中央図柄表示部
１０  中下図柄表示部
１１  液晶表示装置
１２  メイン制御装置
１３  サブ制御装置
１４  表示制御装置
１５  モータドライバ
【図１】
2005137502.tif 000003
【図２】
2005137502.tif 000004
【図３】
2005137502.tif 000005
【図４】
2005137502.tif 000006
【図５】
2005137502.tif 000007
【図６】
2005137502.tif 000008
【図７】
2005137502.tif 000009
【図８】
2005137502.tif 000010
【図９】
2005137502.tif 000011
【図１０】
2005137502.tif 000012
【図１１】
2005137502.tif 000013
【図１２】
2005137502.tif 000014
【図１３】
2005137502.tif 000015
【図１４】
2005137502.tif 000016
【図１５】
2005137502.tif 000017
【図１６】
2005137502.tif 000018